(57)【要約】【課題】  １つ以上の外部接続機器を備える構成において、この外部接続機器を操作するリモコンからの操作信号に対応して予め登録された入力系統の映像に切り替える。【解決手段】  内蔵チューナ１と、１つ以上の外部接続機器または内蔵チューナ１の映像入力から１つの映像入力を選択する入力セレクタ２と、外部接続機器からの外部入力信号を検出する入力信号検出部３と、ユーザの操作指令を入力する操作部４と、操作指令に基づいて各種の設定を行う設定部５と、本装置の全体を制御する制御部６と、設定を記憶する設定記憶部７と、前回の入力（系統）を記憶する前入力記憶部８と、リモコン信号を受信（傍受）する操作信号受信部９と、設定部５の設定に関する表示画面を構成する画面構成部１０と、映像や設定内容等を表示する映像表示部１１とを備えて構成されている。【選択図】  図１
2006115105.tif 000002
【特許請求の範囲】
【請求項１】
内蔵チューナからの映像信号及び１つ以上の外部接続機器からの映像信号が選択的に入力されるテレビジョン受信装置において、
前記外部接続機器を操作するためのリモートコントローラから発信される操作信号を受信する操作信号受信手段と、
外部接続機器からの映像信号を検出する入力信号検出手段と、
ユーザが設定を要求する外部接続機器の各々の設定を、前記外部接続機器毎に、前記外部接続機器を操作するための前記リモコンから発信される操作信号の信号コードを事前に登録する設定手段と、
前記設定手段による設定内容を記録する設定記憶手段と、
前記内蔵チューナ及び１つ以上の外部接続機器から入力される映像信号を選択する入力選択手段と、
前記入力選択手段により選択された電源ＯＮ時からの表示された映像の映像信号の入力系統を、後入れ先出し方式のスタックに、戻り先入力系統として順次記憶する前入力記憶手段と、
前記操作信号受信手段により前記操作信号が検出された時に、前記入力選択手段を制御する映像信号切り替え手段と、
を備えたことを特徴とするテレビジョン受信装置。
【請求項２】
前記設定手段は、ユーザが設定を要求する前記外部接続機器の設定に際し、前記外部接続機器を操作するための前記リモコンからの操作信号に固有の信号コードと、前記外部接続機器との対応関係を、前記設定記憶手段に予め記憶させることを特徴とする請求項１に記載のテレビジョン受信装置。
【請求項３】
前記映像信号切り替え手段は、前記操作信号受信手段を介して前記リモコンからの所定の前記操作信号が検出された時に、表示する映像を、前記操作信号の信号コードと一致する信号コードと対応付けられて前記設定記憶手段に記録されている外部接続機器からの映像、または前記内蔵チューナからの映像、または戻り先入力系統の映像の、いずれか１つに切り替えさせるように前記入力選択手段を制御することを特徴とする請求項１または請求項２に記載のテレビジョン受信装置。
【請求項４】
前記映像信号切り替え手段は、前記操作信号受信手段を介して前記リモコンからの操作開始信号が検出された時に、表示する映像を、前記操作信号の信号コードと一致する信号コードと対応付けられて前記設定記憶手段に記録されている外部接続機器からの映像に切り替えさせるように前記入力選択手段を制御することを特徴とする請求項３に記載のテレビジョン受信装置。
【請求項５】
前記映像信号切り替え手段は、前記操作信号受信手段を介して前記リモコンからの電源ＯＮ／ＯＦＦ信号が検出され、かつ前記入力信号検出手段において前記リモコンによって操作される前記外部接続機器からの映像信号が受信された時に、表示する映像を、前記操作信号の信号コードと一致する信号コードと対応付けられて前記設定記憶手段に記録されている外部接続機器からの映像に切り替えさせるように前記入力選択手段を制御することを特徴とする請求項３に記載のテレビジョン受信装置。
【請求項６】
前記映像信号切り替え手段は、前記操作信号受信手段を介して前記リモコンからの操作終了信号が検出された時に、表示する映像を、前記の前入力記憶手段が記憶する戻り先の入力系統の映像に順次切り替えるか、または前記内蔵チューナからの映像に直接切り替えるように前記入力選択手段を制御することを特徴とする請求項３に記載のテレビジョン受信装置。
【請求項７】
前記映像信号切り替え手段は、前記操作信号受信手段を介して前記リモコンからの電源ＯＮ／ＯＦＦ信号が検出され、かつ前記入力信号検出手段において前記リモコンによって操作される前記外部接続機器からの映像信号が受信されない時に、表示する映像を、前記の前入力記憶手段が記憶する戻り先の入力系統の映像に順次切り替えるか、または前記内蔵チューナからの映像に直接切り替えるように前記入力選択手段を制御することを特徴とする請求項３に記載のテレビジョン受信装置。
【発明の詳細な説明】
【技術分野】
【０００１】
本発明はテレビジョン受信装置に係り、特に、１つ以上の外部接続機器を接続する構成において、これら外部接続機器を操作するリモコンコントローラ（以下、「リモコン」と略称する）からの操作信号を受信すると共に、これら外部接続機器からの入力信号を検出して、入力映像を切り替えるテレビジョン受信装置に関する。
【背景技術】
【０００２】
従来のテレビジョン受信装置では、内部チューナ、及び１つ以上の外部入力信号からの映像の表示を切り替える場合、ユーザが、入力映像を切り替えるためのトグルボタンを複数回押下することで任意の映像に遷移させる設計がなされているものが多い。
【０００３】
つまり、このような従来のテレビジョン受信装置では、入力切替えボタンであるトグルボタンを１回押下する毎に入力系統が１つずつ切り替わる構成となっている。このような構成が採用されている理由は、テレビジョン受信装置側における操作部のボタン数を減らすためであり、そのために、リモコンの場合には備えられているダイレクト選択ボタン（入力を一回の操作で直接切替える）を省略しているからである。
【０００４】
このため、ユーザが、所望する外部入力の映像を画面に表示するには、この入力切り替えボタンを１回以上押下しなければならない。
【０００５】
なお、特許文献１（特開平９−８３８８１号公報）、及び特許文献２（特開２００１−１５７１３５号公報）には、外部入力に映像信号が受信されると、画面に表示されている内蔵チューナの映像を自動的に切替えて、この外部入力に受信された映像信号を表示するテレビジョン受信装置が開示されている。特に、特許文献２（特開２００１−１５７１３５号公報）では、ＯＳＤ（Ｏｎ  Ｓｃｒｅｅｎ  Ｄｉｓｐｌａｙ）や、ＰＩＰ（Ｐｉｃｔｕｒｅ  Ｉｎ  Ｐｉｃｔｕｒｅ）の機能を採用することにより、切り替え後の表示に柔軟性を持たせる技術が開示されている。
【０００６】
また、特許文献３（特開平４−３４４３５４号公報）では、テレビジョン受信装置とビデオテープレコーダとを互いに関連する機器として接続し、かつリモートコントロールユニットを使用してこれらの機器を別個に動作させるシステムにおいて、一方の機器用に送られたリモコン信号を他方が受信して判別し、前記一方の機器と関連した動作を自動的にとらせるように構成された「リモコンシステム」が開示されている。
【特許文献１】特開平９−８３８８１号公報
【特許文献２】特開２００１−１５７１３５号公報
【特許文献３】特開平４−３４４３５４号公報
【発明の開示】
【発明が解決しようとする課題】
【０００７】
ところで、上記背景技術で述べた従来のテレビジョン受信装置にあっては、一般に、内部チューナ、または１つ以上の外部接続機器からの映像、即ち、複数の映像が入力されるが、前述のとおり、ユーザは、現在表示されている映像を所望の映像に切り替えるためには、一般的な仕様の場合、例えばトグルボタン式の入力切替ボタンを複数回押下する必要があり、その操作が煩雑なものとなるという問題点があった。
【０００８】
なお、前述の特許文献１（特開平９−８３８８１号公報）、及び特許文献２（特開２００１−１５７１３５号公報）では、前述のとおり、入力信号を監視し、対応する映像表示に自動で切り替える手法が開示されているが、特許文献１（特開平９−８３８８１号公報）の場合は、予約録画設定された外部接続機器の録画開始時点においても自動的に切り替えがなされ、即ち、当該外部接続機器が、ユーザによって、現在の映像ソースとしては使用されておらず、よって、操作されていない場合であっても、突然に、不必要な切り替えがなされることがある。
【０００９】
また、特許文献２（特開２００１−１５７１３５号公報）では、前記の欠点を補うために、前述のとおり、切り替え後にＯＳＤやＰＩＰによる表示を行うことで表示方法に柔軟性を持たせる試みを行ってはいるが、ＯＳＤ表示に利用するステータス情報は、テレビジョン受信装置側から外部接続機器のステータス情報が読み出せる環境でなければ動作しない。また、ＯＳＤやＰＩＰ表示に関わるソフトウェアの開発コストも無視できない。
【００１０】
なお、特許文献１（特開平９−８３８８１号公報）、及び特許文献２（特開２００１−１５７１３５号公報）に開示された手法における根本的な問題点は、映像切り替えに利用している外部入力信号の検出というトリガーは、単に外部接続機器の動作が可能になったことを意味しているだけであり、よって、この外部入力信号が検出されるタイミングは、必ずしもユーザが切り替えを必要としている場合の切り替えタイミングを意味しているものではないという点にある。
【００１１】
ちなみに、ユーザが映像切り替えを必要としている場合とは、１例として、ユーザによる外部接続機器の操作が開始された場合があり、例えば、外部接続機器がＶＴＲの場合、再生操作やＯＳＤによる予約・設定の操作時には、必ずテレビジョン受信装置側の表示装置による対応する映像に切り替える必要がある。
【００１２】
さらに、特許文献３（特開平４−３４４３５４号公報）で提案されたリモコンシステムでは、複数の外部入力系統の切り替えについては考慮されていない。また、外部接続機器のリモコン電源のＯＮ／ＯＦＦ信号は、電源のＯＮ／ＯＦＦ操作ボタンがトグルボタン式になっているものが殆ど大部分であり、一般には電源ＯＮ信号と電源ＯＦＦ信号との区別が信号コードとしては付与されておらず、よって、テレビジョン受信装置側または外部接続機器側のどちらか一方で、一度、信号の受信が正常に行われなかった場合には、以後、所望の同期動作が実現されない場合が生じる可能性がある。
【００１３】
本発明は、上記従来のテレビジョン受信装置の問題点に鑑みてなされたものであり、１つ以上の外部接続機器を備える構成において、この外部接続機器を操作するリモコンからの操作信号に対応して予め登録された入力系統の映像に切り替えることができるテレビジョン受信装置を提供することを目的としている。
【００１４】
また、所望の入力映像を表示するために入力ボタンを複数回押下する必要がなく、外部接続機器に専用のリモコンを操作するだけで、予め設定された入力系統への切り替えを行うことができるテレビジョン受信装置を提供することにある。
【００１５】
また、１つ以上の外部接続機器を備える構成において、この外部接続機器の動作状態によって、映像表示が不必要に切り替えられてしまうような事態の発生を防止できるテレビジョン受信装置を提供することにある。
【課題を解決するための手段】
【００１６】
上記課題を解決するために、本発明に係るテレビジョン受信装置は、以下の特徴を備えている。
【００１７】
内蔵チューナからの映像信号、及び１つ以上の外部接続機器からの映像信号が選択的に入力されるテレビジョン受信装置において、前記外部接続機器を操作するためのリモコンから発信される操作信号を受信する操作信号受信手段と、外部接続機器からの映像信号を検出する入力信号検出手段と、ユーザが設定を要求する外部接続機器の各々の設定を、前記外部接続機器毎に、前記外部接続機器を操作するための前記リモコンから発信される操作信号の信号コードを事前に登録しておく方法で行う設定手段と、前記設定手段による設定内容を記録する設定記憶手段と、前記内蔵チューナ及び１つ以上の外部接続機器から入力される映像信号を選択する入力選択手段と、前記入力選択手段により選択された電源ＯＮ時からの、表示された映像の映像信号の入力系統を、後入れ先出し方式のスタックに、戻り先入力系統として順次記憶する前入力記憶手段入力と、前記操作信号受信手段により前記操作信号が検出された時に、前記入力選択手段を制御する映像信号切り替え手段と、を備えたことを特徴とするテレビジョン受信装置である。
【００１８】
また、前記テレビジョン受信装置において、前記設定手段は、ユーザが設定を要求する前記外部接続機器の設定に際し、前記外部接続機器を操作するための前記リモコンからの操作信号に固有の信号コードと、前記外部接続機器との対応関係を、前記設定記憶手段に予め記憶させることを特徴とする。
【００１９】
また、前記テレビジョン受信装置において、前記映像信号切り替え手段は、前記操作信号受信手段を介して前記リモコンからの所定の前記操作信号が検出された時に、表示する映像を、前記操作信号の信号コードと一致する信号コードと対応付けられて前記設定記憶手段に記録されている外部接続機器からの映像、または前記内蔵チューナからの映像、または戻り先入力系統の映像の、いずれか１つに切り替えさせるように前記入力選択手段を制御することを特徴とする。
【００２０】
また、前記テレビジョン受信装置において、前記映像信号切り替え手段は、前記操作信号受信手段を介して前記リモコンからの操作開始信号が検出された時に、表示する映像を、前記操作信号の信号コードと一致する信号コードと対応付けられて前記設定記憶手段に記録されている外部接続機器からの映像に切り替えさせるように前記入力選択手段を制御することを特徴とする。
【００２１】
また、前記テレビジョン受信装置において、前記映像信号切り替え手段は、前記操作信号受信手段を介して前記リモコンからの電源ＯＮ／ＯＦＦ信号が検出され、かつ前記入力信号検出手段において前記リモコンによって操作される前記外部接続機器からの映像信号が受信された時に、表示する映像を、前記操作信号の信号コードと一致する信号コードと対応付けられて前記設定記憶手段に記録されている外部接続機器からの映像に切り替えさせるように前記入力選択手段を制御することを特徴とする。
【００２２】
また、前記テレビジョン受信装置において、前記映像信号切り替え手段は、前記操作信号受信手段を介して前記リモコンからの操作終了信号が検出された時に、表示する映像を、前記の前入力記憶手段が記憶する戻り先の入力系統の映像に順次切り替えさせるように前記入力選択手段を制御することを特徴とする。
【００２３】
さらに、前記テレビジョン受信装置において、前記映像信号切り替え手段は、前記操作信号受信手段を介して前記リモコンからの電源ＯＮ／ＯＦＦ信号が検出され、かつ前記入力信号検出手段において前記リモコンによって操作される前記外部接続機器からの映像信号が受信されない時に、表示する映像を、前記の前入力記憶手段が記憶する戻り先の入力系統の映像に順次切り替えさせるように前記入力選択手段を制御することを特徴とする。
【００２４】
即ち、本発明に係るテレビジョン受信装置では、複数の入力信号を切り替えるためのトリガーとして外部接続機器のリモコンの操作に伴って該リモコンから送信される操作信号を受信して利用すると共に、さらに、外部接続機器の動作を確認するために、当該外部接続機器からの映像入力信号の検出を行う。
【００２５】
前記外部接続機器のリモコンからの操作信号の検出は、当該外部接続機器が、ユーザの意思によって現在操作されていることを明示的に示すものであり、従って、このリモコンからの操作信号を受信して利用することは、単に、外部接続機器からの映像入力信号の検出を切り替えのためのトリガーとして利用している従来からの切り替え手法とは本質的に異なっており、ユーザの意思を確実に反映させることができる手法である。
【００２６】
従来から、テレビジョン受信装置が備える外部接続機器の殆どは、その操作を行うための専用のリモコンを備えており、ユーザは、このような外部接続機器の操作に際し、本体側に設けられた操作手段ではなく、このリモコンを用いて操作する使用形態が殆どであると言えるため、本発明のように、リモコンからの操作信号を映像切り替えのトリガーとする手法は、実際の使用形態に適うものとして有効である。
【００２７】
より具体的には、外部接続機器のリモコンから送信されるリモコンに固有の操作信号を、出荷時点までに設定記憶手段に登録しておくか、若しくは、その後の利用者の操作により設定手段を介して事前に設定記憶手段に登録しておけば、その後、ユーザによる外部接続機器のリモコン操作に伴って発生される信号を検出すると、テレビジョン受像装置側では、映像信号切り替え手段が、入力セレクタを制御することで、指定の映像に自動的に切り替えることが可能になる。
【００２８】
この設定手段による設定では、操作開始信号（例えば、再生、メニュー表示等）と、外部接続機器の操作終了時に該外部接続機器に属するリモコンから送信される操作終了信号（例えば停止等）と、電源のＯＮ／ＯＦＦ信号とを、外部接続機器に属するリモコンから送信し、これらの操作信号を、操作信号受信手段で受信し、該操作信号の信号コードと、該操作信号に対応する外部接続機器が接続されている外部入力（系統）との対応関係を予め設定記憶手段に記憶する。
【００２９】
この設定手段による前述の設定後は、入力信号への切り替え動作として、操作開始信号が操作信号受信手段に受信された場合に、前記設定記憶手段の設定に基づき、指定された外部接続機器からの入力映像に切り替える。
【００３０】
一方、外部接続機器の操作終了動作として、操作終了信号が操作信号受信手段に受信された場合には、前記設定記憶手段の設定と、前記入力記憶手段の記録内容とに基づき、戻り先入力系統の映像（即ち、以前に表示された映像）で、入力信号が検出可能な入力映像か、若しくは内蔵チューナの映像に切り替える。
【００３１】
さらに、操作信号が電源のＯＮ／ＯＦＦ信号であり、引き続き、入力信号の検出が確認される場合は、前記外部接続機器の電源のＯＮ信号であるものと判断して、前記設定記憶手段の設定に基づき、前記と同様の前記設定記憶手段により設定された外部接続機器からの入力映像に切り替える。
【００３２】
また、操作信号が電源のＯＮ／ＯＦＦ信号であり、引き続き、入力信号が検出されない状態である場合は、前記外部接続機器の電源のＯＦＦ信号であるものと判断して、前記と同様の戻り先入力映像への切り替えを行う。
【発明の効果】
【００３３】
以上説明したように、本発明のテレビジョン受信装置によれば、１つ以上の外部接続機器を備える構成において、この外部接続機器を操作するリモコンからの操作信号に対応して予め登録された入力系統の映像に切り替えることができる。
【００３４】
また、ユーザは、所望の入力映像を表示するために入力ボタンを複数回押下する必要がなく、外部接続機器に専用のリモコンを操作するだけで、予め設定された入力系統への切り替えを行うことができる。
【００３５】
また、入力映像信号の検出だけを切り替えトリガーに利用した場合には、ユーザの意図しない映像切り替えが強制的に生じることがあるが、このような事態を防止することができる。
【００３６】
また、ユーザの要求に応じて、外部接続機器に専用のリモコンからの信号コードが、それぞれ登録されるので、幅広い製品系列の外部接続機器に対応することができる。
【００３７】
さらに、外部接続機器の操作終了後に表示される戻り先入力系統の映像を、多様な選択肢の中から、ユーザの要求に応じて任意に選択することができる。
【００３８】
また、電源ＯＮ信号と電源ＯＦＦ信号との区別を必要とせず、電源ＯＮ／ＯＦＦ信号に加えて引き続く映像入力信号の検出結果を用いることで、両者の区別を付けると共に、それぞれの場合に適合した入力映像の切り替えが可能となる。
【発明を実施するための最良の形態】
【００３９】
以下、本発明のテレビジョン受信装置の最良の実施形態について、図面を参照して詳細に説明する。
【００４０】
図１は、本発明の第１の実施形態に係るテレビジョン受信装置の全体構成を示す構成図である。
【００４１】
同図において、本実施形態のテレビジョン受信装置は、テレビジョン放送を受信する内蔵チューナ１と、１つ以上の外部接続機器または内蔵チューナ１の映像入力から１つの映像入力を選択する入力セレクタ２（入力選択手段）と、外部接続機器からの映像信号入力を検出する入力信号検出部３（入力信号検出手段）と、ユーザの操作指令を入力する操作部４と、操作指令に基づいて各種の設定を行う設定部５（設定手段）と、本装置の全体を制御する制御部（ＭＰＵ）６と、設定を記憶する設定記憶部７（設定記憶手段）と、前回の入力（系統）を記憶する前入力記憶部８（前入力記憶手段）と、外部接続機器に指令を伝えるためのリモコン信号を受信（傍受）する操作信号受信部９（操作信号受信手段）と、設定部５の設定に関する表示画面を構成する画面構成部１０と、映像や設定内容等を表示する映像表示部１１と、を備えて構成される。
【００４２】
なお、入力セレクタ２と映像表示部１１との間の、映像信号の接続については本発明の本質部分ではないので図示を省略する。
【００４３】
以下、本実施形態のテレビジョン受信装置の特徴的な処理について説明する。
【００４４】
外部接続機器を操作するためのリモコンからの操作指令信号は、メーカ毎にフォーマット（信号パターン等）が定められている。そこで、本実施形態に係るテレビジョン受信装置では、その信号コードを、後述の図２に示す登録信号パターン記憶メモリテーブルに事前に登録しておくものとする。また、外部接続機器は、一般に、機種（例えば、ＶＴＲ、ＤＶＤ等）及びメーカの区別がなされるものとする。なお、上記リモコンは、一般には、外部接続機器に付属するもの（外部接続機器専用）とする。
【００４５】
図２は、本発明の実施形態に係るテレビジョン受信装置の設定記憶部７に備えられた登録信号パターン記憶メモリテーブルの構成を示すものである。
【００４６】
同図に示すように、本実施形態に係るテレビジョン受信装置の設定記憶部７に備えられた登録信号パターン記憶メモリテーブルには、外部接続機器の種類及びユーザの追加設定と、外部接続機器を操作する信号（リモコンから送出される）との組合せ毎に、コード１とコード２とを記憶しておく。
【００４７】
ここで、前記ユーザの追加設定とは、外部接続機器の信号に対するコードが設定記憶部７に事前に登録されていない場合について、ユーザの必要に応じてなされる設定である。ユーザは、設定部５を介して、前記の登録信号パターン記憶メモリテーブルに、ユーザ設定として任意に追加の設定を行うことができる。なお、このユーザの追加設定は、複数通りの設定が可能であるものとする（このユーザの追加設定を行う場合の登録手順については、後述の図４のフロー図で説明する）。
【００４８】
前記の外部接続機器を操作する信号には、電源ＯＮ／ＯＦＦ信号、操作開始信号及び操作終了信号が含まれる。
【００４９】
外部接続機器の種類（図２では明示していないが、上述したように、機種別・メーカ別とする）毎に、電源ＯＮ／ＯＦＦ信号の場合は、コード１として電源ＯＮ／ＯＦＦコードを登録しておき、コード２としては空きを登録しておく。
【００５０】
また、外部接続機器の種類毎に、操作開始信号の場合は、コード１として再生コード、コード２としてＯＳＤ表示コードを、それぞれ登録しておく。なお、前記機種としては、例えば、ＶＴＲ／ＤＶＤ／ＨＤＤレコーダ等が指定可能である。
【００５１】
さらに、外部接続機器の種類毎に、操作終了信号の場合は、コード１として停止コードを登録しておき、コード２としては空きを登録しておく。
【００５２】
なお、前述の外部接続機器を操作する信号（リモコンから送出される）、即ち、外部接続機器の操作開始時に当該外部接続機器のリモコンから送信される操作信号は、より具体的には、操作開始信号として、再生、メニュー表示用のリモコン信号があり、操作終了時の操作終了信号として、停止用のリモコン信号があり、さらに、電源ＯＮ／ＯＦＦ時の信号として、電源ＯＮ／ＯＦＦのリモコン信号がある。
【００５３】
この電源ＯＮ／ＯＦＦのリモコン信号（トグルボタン式で切り替えられることが殆どである）は、やはり、コード化しておく必要がある。
【００５４】
以下、本実施形態に係るテレビジョン受信装置において、外部機器信号に関するユーザ設定を行う場合の登録方法について説明する。
【００５５】
まず、ユーザは、操作部４を介して設定部５を操作することにより、設定操作を実行する。設定部５の設定操作を実行するためのインタフェースは、ＧＵＩを用いることができる（このＧＵＩによる画像は、画面構成部１０で構成された上で、映像表示部１１に表示される）。
【００５６】
これにより、ユーザは、設定する外部入力（系統）を、映像表示部１１の画面上で選択すると、次に、当該選択された外部入力に対応する外部接続機器の種類を設定するために、登録信号パターン記憶メモリテーブル内のデータを基にして、登録済の外部接続機器の種類、及び登録済のユーザ設定の一覧を、画面構成部１０において構成し、映像表示部１１に表示する。なお、前述の外部入力（系統）は、例えば、入力端子または入系統番号でもって指定することができる。
【００５７】
次に、ユーザは各外部入力に対応する登録済の外部接続機器、登録済のユーザ設定、またはユーザ追加設定のいずれか１つを選択する。
【００５８】
ユーザにより、登録済の外部接続機器または登録済のユーザ設定が選択された場合は、設定部５が、該選択された外部接続機器またはユーザ設定に対応する操作開始信号、操作終了信号、及び電源ＯＮ／ＯＦＦ信号を、それぞれ、外部入力の操作開始信号、操作終了信号、及び電源ＯＮ／ＯＦＦ信号として設定する。
【００５９】
また、ユーザにより、追加設定操作が選択された場合は、設定部５が、ユーザに対して前記操作開始信号（具体的には、再生、メニュー表示用のリモコン信号）、操作終了信号（具体的には、停止用のリモコン信号）、及び電源ＯＮ／ＯＦＦのリモコン信号を、それぞれ操作信号受信部９に送信するように要求し、操作信号受信部９で、これらのリモコンコードが受信されると、制御部６は、この受信されたリモコンコードを、それぞれユーザ設定コードとして設定記憶部７に登録すると共に、設定部５が、外部入力の操作開始信号、操作終了信号、電源ＯＮ／ＯＦＦ信号として設定する。
【００６０】
さらに、設定部５は、外部接続機器の操作終了時（リモコンからの操作終了信号が検出された時）の動作として、以前に表示していた映像に切り替えるか、それとも内蔵チューナ１からの入力映像に切り替えるかの選択を、ユーザに要求し、これにより、ユーザが選択した映像を、操作終了時の切替先映像として設定する。
【００６１】
図３は、本発明の実施形態に係るテレビジョン受信装置において、ユーザ指定された登録済の外部接続機器の設定と、ユーザが追加設定した外部接続機器のリモコンコードの登録を行う場合の登録手順を示すフローチャートである。
【００６２】
以下、図１，２を参照しながら、図３に示すフローチャートを使用して、本実施形態に係るテレビジョン受信装置において、外部機器信号に関するユーザ設定を行う場合の登録手順を説明する。
【００６３】
まず、ユーザは、操作部４を介して設定部５を操作することにより、設定操作を実行する。
【００６４】
設定部５は、制御部６と画面構成部１０とを介して、外部入力（入力端子または入力番号）の選択要求を映像表示部１１の画面に表示し、ユーザに外部入力の選択を要求する（ステップＳ１）。
【００６５】
これにより、ユーザは、設定する外部入力（入力端子または入力番号）を、映像表示部１１の画面上で選択するか、または操作部４を介して入力する（ステップＳ２）。
【００６６】
この選択を受けて、設定部５は、制御部６と画面構成部１０とを介して、当該選択された外部入力に対応する外部接続機器の種類を設定するために、登録信号パターン記憶メモリテーブル内のデータを基にして、登録済の外部接続機器及びユーザ追加設定の一覧を、画面構成部１０において構成し、映像表示部１１に表示する（ステップＳ３）。
【００６７】
次に、設定部５は、制御部６と画面構成部１０とを介して、前記表示された一覧における登録済の外部接続機器及びユーザ追加設定のいずれか１つ、若しくはユーザ設定の追加を選択すべき旨の要求を映像表示部１１の画面に表示して、ユーザにこの選択を要求する（ステップＳ４）。これにより、ユーザは、前記選択した外部入力に対応する外部接続機器、ユーザ設定、またはユーザ追加設定のいずれか１つを選択入力する。
【００６８】
次に、設定部５は、前記選択要求によるユーザの選択結果を検証し、ユーザにより、登録済の外部接続機器またはユーザ設定が選択された場合は、ステップＳ６に進み、ユーザが、ユーザ設定の追加を選択した場合は、ステップＳ１１に移る（ステップＳ５）。
【００６９】
ステップＳ６では、設定部５が、選択された外部接続機器またはユーザ設定に対応する操作開始信号、操作終了信号、電源ＯＮ／ＯＦＦ信号を、外部入力の操作開始信号、操作終了信号、電源ＯＮ／ＯＦＦ信号として設定する。
【００７０】
次に、設定部５は、制御部６と画面構成部１０とを介して、外部接続機器の操作終了時の動作として、以前に表示していた映像に切り替えるか、それとも内蔵チューナ１からの入力映像に切り替えるかの選択画面を映像表示部１１に表示して、ユーザにこの選択を要求する（ステップＳ７）。
【００７１】
次に、設定部５は、前記選択要求によるユーザの選択結果を検証し、ユーザが、以前に表示していた映像に切り替えることを選択した場合はステップＳ９に移り、ユーザが、内蔵チューナ１からの入力映像に直接切り替えることを選択した場合はステップＳ１０に移る（ステップＳ８）。
【００７２】
ステップＳ９では、設定部５が、操作終了時の切替先映像を、以前に表示していた映像に設定し、設定処理を終了する。
【００７３】
また、ステップＳ１０では、設定部５が、操作終了時の切替先映像を、内蔵チューナ１からの入力映像に設定し、設定処理を終了する。
【００７４】
次に、ユーザがユーザ設定の追加を選択する場合の処理（ステップＳ１１）の説明に移る。
【００７５】
設定部５は、ユーザが、外部入力とすべきことを選択した外部接続機器のリモコンを操作して、電源ＯＮ／ＯＦＦ信号（リモコン信号）を送信すべき旨の要求を制御部６及び画面構成部１０を介して、映像表示部１１の画面に表示する（ステップＳ１１）。
【００７６】
この後、設定部５は、操作信号受信部９を介して、前記リモコン信号を受信するまで待機する（ステップＳ１２）。
【００７７】
前記リモコン信号を受信すると（ステップＳ１２；ＹＥＳ）、設定部５は、ユーザが、制御部６と画面構成部１０とを介して、外部入力とすべきことを選択した外部接続機器のリモコンを操作して、操作開始信号（リモコン信号）を送信すべき旨の要求を映像表示部１１の画面に表示する（ステップＳ１３）。
【００７８】
この後、設定部５は、制御部６と操作信号受信部９とを介して、前記リモコン信号を受信するまで待機する（ステップＳ１４）。
【００７９】
前記リモコン信号を受信すると（ステップＳ１４；ＹＥＳ）、設定部５は、制御部６と画面構成部１０とを介して、ユーザが、外部入力とすべきことを選択した外部接続機器のリモコンを操作して、さらなる操作開始信号（リモコン信号）を追加するか否かの選択をすべき旨の要求を映像表示部１１の画面に表示する（ステップＳ１５）。
【００８０】
次に、設定部５は、ユーザが、さらなる操作開始信号の追加を選択したか否かを検証し、ユーザが、さらなる操作開始信号の追加を選択した場合はステップＳ１３に戻り、ユーザが、さらなる操作開始信号の追加を選択しなかった場合はステップＳ１７に進む（ステップＳ１６）。
【００８１】
ステップＳ１７では、設定部５が、制御部６と画面構成部１０とを介して、ユーザが、外部入力とすべきことを選択した外部接続機器のリモコンを操作して、電源ＯＮ／ＯＦＦ信号（リモコン信号）を送信すべき旨の要求を映像表示部１１の画面に表示する。
【００８２】
この後、設定部５は、制御部６と操作信号受信部９とを介して、前記リモコン信号を受信するまで待機する（ステップＳ１８）。
【００８３】
前記リモコン信号を受信すると（ステップＳ１８；ＹＥＳ）、設定部５は、制御部６と画面構成部１０とを介して、ユーザが、外部入力とすべきことを選択した外部接続機器のリモコンを操作して、さらなる操作終了信号（リモコン信号）を追加するか否かの選択をすべき旨の要求を映像表示部１１の画面に表示する（ステップＳ１９）。
【００８４】
次に、設定部５は、ユーザが、さらなる操作終了信号の追加を選択したか否かを検証し、ユーザが、さらなる操作終了信号の追加を選択した場合はステップＳ１７に戻り、ユーザが、さらなる操作終了信号の追加を選択しなかった場合はステップＳ２１に進む（ステップＳ２０）。
【００８５】
ステップＳ２１では、制御部６が、前記送信された各リモコン信号によるユーザ設定（追加のユーザ設定）を、設定記憶部７が備える登録パターン記録テーブルに登録し、ステップＳ６に移る。
【００８６】
前述の外部接続機器の登録と設定処理が完了すると、本実施形態に係るテレビジョン受信装置の映像入力の切り替え処理が実行可能となる。
【００８７】
以下、本実施形態に係るテレビジョン受信装置の映像入力の切り替え処理（映像信号切り替え手段）の動作を説明する。
【００８８】
制御部６は、操作信号受信部９を介して、外部接続機器のリモコン操作信号を検出する。また、このリモコン信号が検出されると、前記検出されたリモコン操作信号（即ち、信号コード）と、設定記憶部７が備える登録パターン記録テーブルに予め登録された電源ＯＮ／ＯＦＦ信号、操作開始信号、操作終了信号の信号パターン（即ち、信号コード）とを照合する。
【００８９】
次に、制御部６は、前記検出されたリモコン操作信号が電源ＯＮ／ＯＦＦ信号であり、かつ入力信号検出部３を介して前記リモコン操作信号で操作された外部接続機器の入力信号が検出されている場合、若しくは前記検出されたリモコン操作信号が操作開始信号の場合には、設定記憶部７が備える登録パターン記録テーブルを再び参照し、入力セレクタ２を介して、映像入力を、前記検出された操作信号の信号コードに対応する外部接続機器からの映像に切り替える。
【００９０】
なお、制御部６は、前記検出されたリモコン操作信号が電源ＯＮ／ＯＦＦ信号であり、かつ前記外部接続機器の入力信号が検出されていない場合、若しくは前記検出されたリモコン操作信号が操作終了信号である場合には、戻り先入力映像に切り替える処理を行う。
【００９１】
また、制御部６は、前記検出されたリモコン操作信号が、電源ＯＮ／ＯＦＦ信号、操作開始信号、または操作終了信号のいずれでもない場合は、切り替え無しと判断する。
【００９２】
以下、前述の戻り先入力映像に切り替える処理について説明する。
まず、制御部６は、戻り先入力映像の設定が内蔵チューナ１の場合は、入力セレクタ２を介して、内蔵チューナ１の出力映像に切り替える。
【００９３】
また、制御部６は、戻り先入力映像の設定が直前の入力映像である場合には、前入力記憶部８の記録内容を参照し、映像入力（系統）を、前入力記憶部８の次の記録内容（即ち、前入力映像）の入力（系統）に切り替える（なお、前入力記憶部８の記録は、後入れ先出し方式のスタックとして記録されている）。
【００９４】
その後、この前入力記憶部８の次の記録内容（即ち、前入力映像）の入力（系統）からの入力信号が実際に送出されているか否かを検証し、送出されていない場合は、送出する入力（系統）に行き着くまで、後入れ先出し方式のスタックとして記録されている前記の前入力記憶部８の次の記録内容（即ち、前入力映像）の入力（系統）に切り替える。
【００９５】
以下、前述の映像入力の切り替え処理に基づく切り替えの具体例を説明する。
例えば、ユーザが外部接続機器であるＶＴＲのリモコンの再生ボタンを押下してＶＴＲの再生を行う場合、このＶＴＲのリモコンの再生ボタンの押下と同時に、テレビジョン受信装置側でも前記リモコンの再生操作信号が受信された場合は、このＶＴＲが接続されている外部入力に切り替えられる。
【００９６】
また、ユーザが、ＶＴＲの電源をＯＮにするためにリモコンの電源ＯＮ／ＯＦＦボタンを押下した場合は、引き続き入力信号が検出された場合に限りＶＴＲの外部入力に切り替わり、さもなくて、その後に入力信号が検出されない場合には電源ＯＮ操作とは見なされず、従って、入力映像のＶＴＲへの切り替えは行われない。
【００９７】
さらに、前入力映像への切り替えを行う場合は、前入力記憶部８に記録されている映像入力履歴の最新の映像入力への切り替えを行うが、該映像入力への入力信号が既に存在しない可能性もあるため、この切り替えに引き続き、入力信号検出部３を介して入力信号の検出の有無を確認し、映像入力信号が検出されれば切り替えを行い、検出されない場合は、さらに前の映像入力への入力信号の確認を行って、映像入力信号が検出されるまでこの動作を繰り返す。但し、前映像入力が内蔵チューナ１の場合は、無条件でチューナ映像１に切り替える。
【００９８】
また、ユーザが、外部接続機器であるＶＴＲからの再生映像を表示中に、リモコンの停止ボタンを押下して、このＶＴＲの操作停止を行う場合、このリモコンの停止ボタンの押下と同時にテレビジョン受信装置側でも前記リモコンからの操作停止信号が受信された場合についても、前述の映像入力の切り替え処理が行われる。
【００９９】
また、ユーザがＶＴＲの電源をＯＦＦにするためにリモコンの電源ＯＮ／ＯＦＦボタンを押下した場合は、引き続く入力信号が検出されない場合に限り、このＶＴＲの映像から戻り先入力映像に切り替わり、さもなくて、入力信号が検出される場合には、電源ＯＦＦ操作とはみなされず、従って、戻り先入力映像への切り替えは行われない。
【０１００】
図４は、本発明の実施形態に係るテレビジョン受信装置の映像入力の切り替え処理時の動作を示すフローチャートである。
【０１０１】
以下、図１，２を参照しながら、図４に示すフローチャートを使用して、本実施形態に係るテレビジョン受信装置の映像入力の切り替え処理時の動作を説明する。
【０１０２】
まず、制御部６は、操作信号受信部９を介して、外部接続機器のリモコン操作信号を検出する（ステップＳ３１；ＹＥＳ）。
【０１０３】
次に、制御部６は、前記検出されたリモコン操作信号（即ち、信号コード）と、設定記憶部７が備える登録パターン記録テーブルに予め登録された電源ＯＮ／ＯＦＦ信号、操作開始信号、操作終了信号の信号パターン（即ち、信号コード）とを比較する（ステップＳ３２）。
【０１０４】
次に、制御部６は、前記比較により、検出されたリモコン操作信号が電源ＯＮ／ＯＦＦ信号であるか否かを検証し、検出されたリモコン操作信号が電源ＯＮ／ＯＦＦ信号である場合は（ステップＳ３３；ＹＥＳ）ステップＳ３７に進み、検出されたリモコン操作信号が電源ＯＮ／ＯＦＦ信号ではない場合は（ステップＳ３３；ＮＯ）ステップＳ３４に移る（ステップＳ３３）。
【０１０５】
ステップ３４では、制御部６が、検出されたリモコン操作信号が操作開始信号であるか否かを検証し、検出されたリモコン操作信号が操作開始信号である場合（ステップ３４；ＹＥＳ）はステップＳ３８に移り、検出されたリモコン操作信号が操作開始信号ではない場合（ステップ３４；ＮＯ）はステップＳ３５に移る。
【０１０６】
ステップＳ３５では、制御部６が、検出されたリモコン操作信号が操作終了信号であるか否かを検証し、検出されたリモコン操作信号が操作終了信号である場合（ステップ３５；ＹＥＳ）はステップＳ３９に移り、検出されたリモコン操作信号が操作開始信号ではない場合（ステップ３５；ＮＯ）はステップＳ３６に移る。
【０１０７】
ステップＳ３６では、制御部６が、切り替え無し（切り替えを必要とする操作以外の信号）と判断して、直ちに処理を終了する。
【０１０８】
ステップＳ３７では、制御部６が、入力信号検出部３を介して前記リモコン操作信号で操作された外部接続機器の入力信号が検出されているか否かを検証し、前記外部接続機器の入力信号が検出されている場合（ステップ３７；ＹＥＳ）はステップＳ３８に進み、前記外部接続機器の入力信号が検出されていない場合（ステップ３７；ＮＯ）はステップＳ３９に移る。
【０１０９】
ステップＳ３８では、制御部６が、設定記憶部７が備える登録パターン記録テーブルを再び参照し、入力セレクタ２を介して、映像入力を、前記検出された操作信号の信号コードに対応する外部接続機器からの映像に切り替え処理を終了する。
【０１１０】
ステップＳ３９では、制御部６が、戻り先入力映像の設定を検証し、内蔵チューナ１が戻り先映像に設定されていた場合はステップＳ４０に進み、直前の入力映像が戻り先映像に設定されていた場合はステップＳ４１に移る。
【０１１１】
ステップＳ４０では、制御部６が、入力セレクタ２を介して、映像入力（系統）を、内蔵チューナ１からの出力映像に切り替えた後、処理を終了する。
【０１１２】
ステップＳ４１では、制御部６が、前入力記憶部８の記録内容を参照し、映像入力（系統）を、前入力記憶部８の次の記録内容（即ち、前入力映像）の入力（系統）に切り替える（なお、前述のとおり、前入力記憶部８の記録は、後入れ先出し方式のスタックとして記録されている）。
【０１１３】
ステップＳ４２では、制御部６が、前入力記憶部８の記録内容（前入力映像）が内蔵チューナ１の映像であるか否かを検証し、前入力映像が内蔵チューナ１の映像である場合は前述のステップＳ４０に進み、前入力映像が内蔵チューナ１の映像ではない場合は、ステップＳ４３に進む。
【０１１４】
ステップＳ４３では、制御部６が、入力信号検出部３を介して前記切り替えられた前入力映像が検出されているか否かを検証し、前記切り替えられた前入力映像が検出されている場合は直ちに処理を終了し、前記切り替えられた前入力映像が検出されていない場合はステップＳ４１に戻る。
【０１１５】
前記の切り替え処理を行った後、制御部６は、前入力記憶部８に、前記切り替えられた後の映像入力（系統）を後入れ先出し方式のスタックとして累積記録する。
【０１１６】
なお、本発明に係るテレビジョン受信装置の各構成要素の処理の少なくとも一部をコンピュータ制御により実行するものとし、かつ、上記処理を、図３，４のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して、実行するものとしてもよい。
【図面の簡単な説明】
【０１１７】
【図１】本発明の第１の実施形態に係るテレビジョン受信装置の全体構成を示す構成図である。
【図２】本発明の実施形態に係るテレビジョン受信装置の設定記憶部に備えられた登録信号パターン記憶メモリテーブルの構成を示すものである。
【図３】本発明の実施形態に係るテレビジョン受信装置において、ユーザ指定された登録済の外部接続機器の設定と、ユーザが追加設定した外部接続機器のリモコンコードの登録を行う場合の登録手順を示すフローチャートである。
【図４】本発明の実施形態に係るテレビジョン受信装置の映像入力の切り替え処理時の動作を示すフローチャートである。
【符号の説明】
【０１１８】
１  内蔵チューナ
２  入力セレクタ
３  入力信号検出部
４  操作部
５  設定部
６  制御部（ＭＰＵ）
７  設定記憶部
８  前入力記憶部
９  操作信号受信部
１０  画面構成部
１１  映像表示部
【図１】
2006115105.tif 000003
【図２】
2006115105.tif 000004
【図３】
2006115105.tif 000005
【図４】
2006115105.tif 000006